(57)【要約】【課題】フェーズロック・ループ（ＰＬＬ）回路で使用するための差動チャージ・ポンプ回路に関するシステムおよび装置を提供する。【解決手段】差動チャージ・ポンプ回路は、基準電流、２つのセンス増幅器、コモン・モード制御増幅器、およびＨブリッジ回路を含むことができる。Ｈブリッジ回路は、基準電流とコモン・モード制御増幅器とに結合される。基準電流は、Ｈブリッジ回路の第１の部分を駆動し、コモン・モード制御増幅器は、Ｈブリッジ回路の第２の部分を制御する。Ｈブリッジ回路は、第１および第２のノードをさらに含む。ノードは、センス増幅器のうちの１つへの入力である。差動チャージ・ポンプ回路は、第１のノードの電圧が第２のノードの複数の電圧に対する第２のノードの電圧と実質的に等しくなるように、第１のノードの電圧を制御するように構成される。差動チャージ・ポンプ回路は、センス増幅器の出力に結合されたゲートをもつトランジスタをさらに含むことができる。第１のノードの電圧は、センス増幅器とトランジスタとで制御することができる。【選択図】図２
2021504998.tif 000002
【特許請求の範囲】
【請求項１】
差動チャージ・ポンプ回路であって、
基準電流と、
センシング演算増幅器と、
制御演算増幅器と、
前記基準電流と前記制御演算増幅器とに結合されたＨブリッジ回路であり、前記基準電流が、前記Ｈブリッジ回路の第１の部分を駆動し、前記制御演算増幅器が、前記Ｈブリッジ回路の第２の部分を制御し、前記Ｈブリッジ回路が、
第１のノードと、
第２のノードであり、前記第１および第２のノードが、前記センシング演算増幅器への入力であり、前記回路は、前記第１のノードの電圧が前記第２のノードの複数の電圧に対する前記第２のノードの電圧と実質的に等しくなるように、前記第１のノードの前記電圧を制御するように構成される、前記第２のノードと
を含む、前記Ｈブリッジ回路と
を含む、差動チャージ・ポンプ回路。
【請求項２】
第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタをさらに含む、請求項１に記載の差動チャージ・ポンプ回路。
【請求項３】
前記Ｈブリッジ回路が、
第２のセンシング演算増幅器と、
第１の逆ノードであり、前記第１の逆ノードの電圧が、前記第１のノードの前記電圧の逆である、前記第１の逆ノードと、
第２の逆ノードであり、前記第２の逆ノードの電圧が、前記第２のノードの前記電圧の逆であり、前記第１の逆ノードおよび前記第２の逆ノードが、前記第２のセンシング演算増幅器への入力であり、前記差動チャージ・ポンプ回路は、前記第１の逆ノードの前記電圧が前記第２の逆ノードの複数の電圧に対する前記第２の逆ノードの前記電圧と実質的に等しくなるように、前記第１の逆ノードの前記電圧を制御するように構成される、前記第２の逆ノードと
をさらに含む、請求項１に記載の差動チャージ・ポンプ回路。
【請求項４】
第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタと、
第２のトランジスタであり、前記第２のトランジスタが、前記第２のセンシング演算増幅器の出力に結合されたゲートを含み、前記第１の逆ノードの前記電圧が、前記第２のセンシング演算増幅器および前記第２のトランジスタによって制御される、前記第２のトランジスタと
をさらに含む、請求項３に記載の差動チャージ・ポンプ回路。
【請求項５】
前記第１のノードおよび前記第２のノードが各々前記センシング演算増幅器のそれぞれの入力に結合される、請求項１に記載の差動チャージ・ポンプ回路。
【請求項６】
第２のセンシング演算増幅器をさらに含み、前記センシング演算増幅器および前記第２のセンシング演算増幅器が、前記Ｈブリッジ回路の第３の部分を制御する、請求項１に記載の差動チャージ・ポンプ回路。
【請求項７】
第２のセンシング演算増幅器をさらに含み、前記センシング演算増幅器がセンス増幅器であり、前記第２のセンシング演算増幅器がセンス増幅器であり、前記制御演算増幅器がコモン・モード制御増幅器である、請求項１に記載の差動チャージ・ポンプ回路。
【請求項８】
前記差動チャージ・ポンプが、フェーズロック・ループ回路で使用され、前記Ｈブリッジ回路が、可変周波数発振器を制御するために使用される、請求項１に記載の差動チャージ・ポンプ回路。
【請求項９】
前記第２のノードが、前記フェーズロック・ループ回路の一部としてのフィルタ回路に結合される、請求項８に記載の差動チャージ・ポンプ回路。
【請求項１０】
前記回路は、前記回路の動作の少なくとも一部の間、前記Ｈブリッジ回路の前記第２の部分の電流が前記Ｈブリッジ回路の前記第１の部分の電流に実質的に等しくなるように、前記制御演算増幅器を制御するように構成される、請求項１に記載の差動チャージ・ポンプ回路。
【請求項１１】
受け取った基準信号と受け取ったフィードバック信号との間の位相差に関係する第１の出力信号を生成するように構成された位相検出器と、
フィルタ回路と、
第２の出力信号を生成するように構成された可変周波数発振器であり、前記位相検出器によって受け取られる前記フィードバック信号が、前記第２の出力信号に基づく、前記可変周波数発振器と、
前記第１の出力信号に基づく前記フィルタ回路を横切る信号を生成するように構成された差動チャージ・ポンプ回路であり、前記差動チャージ・ポンプ回路が、
基準電流と、
センシング演算増幅器と、
制御演算増幅器と、
前記基準電流と前記制御演算増幅器とに結合されたＨブリッジ回路であり、前記基準電流が、前記Ｈブリッジ回路の第１の部分を駆動し、前記制御演算増幅器が、前記Ｈブリッジ回路の第２の部分を制御し、前記Ｈブリッジ回路は、
第１のノードと、
第２のノードであり、前記第１および第２のノードが、前記センシング演算増幅器への入力であり、前記回路は、前記第１のノードの電圧が前記第２のノードの複数の電圧に対する前記第２のノードの電圧と実質的に等しくなるように、前記第１のノードの前記電圧を制御するように構成される、前記第２のノードと
を含む、前記Ｈブリッジ回路と
を含む、前記差動チャージ・ポンプ回路と
を含む、システム。
【請求項１２】
前記差動チャージ・ポンプ回路が、
第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタをさらに含む、請求項１１に記載のシステム。
【請求項１３】
前記Ｈブリッジ回路が、
第２のセンシング演算増幅器と、
第１の逆ノードであり、前記第１の逆ノードの電圧が、前記第１のノードの前記電圧の逆である、前記第１の逆ノードと、
第２の逆ノードであり、前記第２の逆ノードの電圧が、前記第２のノードの前記電圧の逆であり、前記第１の逆ノードおよび前記第２の逆ノードが、前記第２のセンシング演算増幅器への入力であり、前記差動チャージ・ポンプ回路は、前記第１の逆ノードの前記電圧が前記第２の逆ノードの複数の電圧に対する前記第２の逆ノードの前記電圧と実質的に等しくなるように、前記第１の逆ノードの前記電圧を制御するように構成される、前記第２の逆ノードと
をさらに含む、請求項１１に記載のシステム。
【請求項１４】
前記差動チャージ・ポンプ回路が、
第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタと、
第２のトランジスタであり、前記第２のトランジスタが、前記第２のセンシング演算増幅器の出力に結合されたゲートを含み、前記第１の逆ノードの前記電圧が、前記第２のセンシング演算増幅器および前記第２のトランジスタによって制御される、前記第２のトランジスタと
をさらに含む、請求項１３に記載のシステム。
【請求項１５】
前記第１のノードおよび前記第２のノードが各々前記センシング演算増幅器のそれぞれの入力に結合される、請求項１１に記載のシステム。
【請求項１６】
第２のセンシング演算増幅器をさらに含み、前記センシング演算増幅器および前記第２のセンシング演算増幅器が、前記Ｈブリッジ回路の第３の部分を制御する、請求項１１に記載のシステム。
【請求項１７】
第２のセンシング演算増幅器をさらに含み、前記センシング演算増幅器がセンス増幅器であり、前記第２のセンシング演算増幅器がセンス増幅器であり、前記制御演算増幅器がコモン・モード制御増幅器である、請求項１１に記載のシステム。
【請求項１８】
前記Ｈブリッジ回路が、前記可変周波数発振器を制御するために使用される、請求項１１に記載のシステム。
【請求項１９】
前記第２のノードが前記フィルタ回路に結合される、請求項１８に記載のシステム。
【請求項２０】
前記チャージ・ポンプ回路は、前記回路の動作の少なくとも一部の間、前記Ｈブリッジ回路の前記第２の部分の電流が前記Ｈブリッジ回路の前記第１の部分の電流に実質的に等しくなるように、前記制御演算増幅器を制御するように構成される、請求項１１に記載のシステム。
【請求項２１】
差動チャージ・ポンプ回路であって、
センシング演算増幅器と、
Ｈブリッジ回路であり、
第１のノードと、
第２のノードであり、前記第１および第２のノードが、前記センシング演算増幅器への入力であり、前記差動チャージ・ポンプ回路は、前記第１のノードの電圧が前記第２のノードの複数の電圧に対する前記第２のノードの電圧と実質的に等しくなるように、前記第１のノードの前記電圧を制御するように構成される、前記第２のノードと、
前記第１のノードおよび前記第２のノードに結合された第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタと
を含む、前記Ｈブリッジ回路と
を含む、差動チャージ・ポンプ回路。
【請求項２２】
前記Ｈブリッジ回路が、
第２の演算増幅器と、
第１の逆ノードであり、前記第１の逆ノードの電圧が、前記第１のノードの前記電圧の逆である、前記第１の逆ノードと、
第２の逆ノードであり、前記第２の逆ノードの電圧が、前記第２のノードの前記電圧の逆であり、前記第１の逆ノードおよび前記第２の逆ノードが、前記第２の演算増幅器への入力であり、前記差動チャージ・ポンプ回路は、前記第１の逆ノードの前記電圧が前記第２の逆ノードの複数の電圧に対する前記第２の逆ノードの前記電圧と実質的に等しくなるように、前記第１の逆ノードの前記電圧を制御するように構成される、前記第２の逆ノードと、
第２のトランジスタであり、前記第２のトランジスタが、前記第２の演算増幅器の出力に結合されたゲートを含み、前記第１の逆ノードの前記電圧が、前記第２の演算増幅器および前記第２のトランジスタによって制御される、前記第２のトランジスタと
をさらに含む、請求項２１に記載の差動チャージ・ポンプ回路。
【請求項２３】
差動チャージ・ポンプ回路であって、
第１の独立した電流源と、
第２の独立した電流源と、
前記第１および第２の独立した電流源に結合されたＨブリッジ回路であり、前記第１の独立した電流源が、前記Ｈブリッジ回路の第１の部分を駆動し、前記第２の独立した電流源が、前記Ｈブリッジ回路の第２の部分を駆動する、前記Ｈブリッジ回路と
を含む、差動チャージ・ポンプ回路。
【請求項２４】
前記回路が、
センシング演算増幅器をさらに含み、
前記Ｈブリッジ回路が、
第１のノードと、
第２のノードであり、前記第１および第２のノードが、前記センシング演算増幅器への入力であり、前記回路は、前記第１のノードの電圧が前記第２のノードの複数の電圧に対する前記第２のノードの電圧と実質的に等しくなるように、前記第１のノードの前記電圧を制御するように構成される、前記第２のノードと、
前記第１のノードおよび前記第２のノードに結合された第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタと
をさらに含む、請求項２３に記載の差動チャージ・ポンプ回路。
【請求項２５】
フェーズロック・ループ回路であって、
受け取った基準信号と受け取ったフィードバック信号との間の位相差に関係する第１の出力信号を生成するように構成された位相検出器と、
フィルタ回路と、
第２の出力信号を生成するように構成された可変周波数発振器であり、前記位相検出器によって受け取られる前記フィードバック信号が、前記第２の出力信号に基づく、前記可変周波数発振器と、
前記第１の出力信号に基づく前記フィルタ回路を横切る信号を生成するように構成された差動チャージ・ポンプ回路であり、前記差動チャージ・ポンプ回路が、
センシング演算増幅器と、
Ｈブリッジ回路であり、
第１のノードと、
第２のノードであり、前記第１および第２のノードが、前記センシング演算増幅器への入力であり、前記差動チャージ・ポンプ回路は、前記第１のノードの電圧が前記第２のノードの複数の電圧に対する前記第２のノードの電圧と実質的に等しくなるように、前記第１のノードの前記電圧を制御するように構成される、前記第２のノードと、
前記第１のノードおよび前記第２のノードに結合された第１のトランジスタであり、前記第１のトランジスタが、前記センシング演算増幅器の出力に結合されたゲートを含み、前記第１のノードの前記電圧が、前記センシング演算増幅器および前記第１のトランジスタによって制御される、前記第１のトランジスタと
を含む、前記Ｈブリッジ回路と
を含む、前記差動チャージ・ポンプ回路と
を含む、フェーズロック・ループ回路。
【発明の詳細な説明】
【技術分野】
【０００１】
本開示は、一般に、フェーズロック・ループ（ＰＬＬ）回路などの電子回路で使用するための差動チャージ・ポンプに関する。
【背景技術】
【０００２】
コンピュータまたは他の電子システムでは、クロック信号は、集積回路（ＩＣ）のレジスタまたはラッチなどの順次記憶素子間のデータの流れを制御し順序付けるために使用される。ＰＬＬを含むクロック回路は、基準クロック信号と、デジタル論理または他の回路素子を順序付ける分配クロック信号との間の精密な位相関係を維持することができる。精密なクロック位相関係は、順次論理素子間の既知で効率的なタイミング関係を達成するのに有用であり得る。
【０００３】
ＰＬＬ回路は、基準クロック信号と分配クロック信号との間の位相差を検出し、それらの位相差に基づいて制御信号を生成する。制御信号は、出力を複数の論理または他の回路素子に分配できる電圧制御発振器（ＶＣＯ）などのクロック生成回路のタイミングまたは周波数あるいはその両方を調節するために使用することができる。そのようなクロックは、マイクロプロセッサ、メモリ・コントローラ、グラフィックス・コントローラなどを含む集積回路の多数の素子で使用することができる。
【発明の概要】
【発明が解決しようとする課題】
【０００４】
フェーズロック・ループ（ＰＬＬ）回路で使用するための差動チャージ・ポンプ回路に関するシステムおよび装置を提供する。
【課題を解決するための手段】
【０００５】
本明細書で説明する実施形態は、差動チャージ・ポンプに関する回路およびシステムを含む。実施形態は、基準電流を含む差動チャージ・ポンプ回路と、センシング演算増幅器と、制御演算増幅器と、基準電流と制御演算増幅器とに結合されたＨブリッジ回路とを含む。基準電流は、Ｈブリッジ回路の第１の部分を駆動し、制御演算増幅器は、Ｈブリッジ回路の第２の部分を制御する。Ｈブリッジ回路は、第１のノードおよび第２のノードを含む。第１および第２のノードは、センシング演算増幅器への入力であり、回路は、第１のノードの電圧が第２のノードの複数の電圧に対する第２のノードの電圧と実質的に等しくなるように、第１のノードの電圧を制御するように構成される。実施形態は、受け取った基準信号と受け取ったフィードバック信号との間の位相差に関係する第１の出力信号を生成するように構成された位相検出器と、フィルタ回路と、第２の出力信号を生成するように構成された可変周波数発振器とを含むシステムをさらに含む。位相検出器によって受け取られるフィードバック信号は、第２の出力信号に基づく。システムは、第１の出力信号に基づくフィルタ回路を横切る信号を生成するように構成された差動チャージ・ポンプ回路をさらに含む。差動チャージ・ポンプ回路は、基準電流と、センシング演算増幅器と、制御演算増幅器と、基準電流と制御演算増幅器とに結合されたＨブリッジ回路とを含む。基準電流は、Ｈブリッジ回路の第１の部分を駆動し、制御演算増幅器は、Ｈブリッジ回路の第２の部分を制御する。Ｈブリッジ回路は、第１のノードおよび第２のノードを含む。第１および第２のノードは、センシング演算増幅器への入力である。回路は、第１のノードの電圧が第２のノードの複数の電圧に対する第２のノードの電圧と実質的に等しくなるように、第１のノードの電圧を制御するように構成される。
【０００６】
実施形態は、センシング演算増幅器とＨブリッジ回路とを含む差動チャージ・ポンプ回路をさらに含む。Ｈブリッジ回路は、第１のノードおよび第２のノードを含む。第１および第２のノードは、センシング演算増幅器への入力である。差動チャージ・ポンプ回路は、第１のノードの電圧が第２のノードの複数の電圧に対する第２のノードの電圧と実質的に等しくなるように、第１のノードの電圧を制御するように構成される。Ｈブリッジ回路は、第１のノードと第２のノードとに結合された第１のトランジスタをさらに含む。第１のトランジスタは、センシング演算増幅器の出力に結合されたゲートを含む。第１のノードの電圧は、センシング演算増幅器および第１のトランジスタによって制御される。
【０００７】
実施形態は、第１の独立した電流源と、第２の独立した電流源と、第１および第２の独立した電流源に結合されたＨブリッジ回路とを含む差動チャージ・ポンプ回路をさらに含む。第１の独立した電流源は、Ｈブリッジ回路の第１の部分を駆動し、第２の独立した電流源は、Ｈブリッジ回路の第２の部分を駆動する。
【０００８】
実施形態は、受け取った基準信号と受け取ったフィードバック信号との間の位相差に関係する第１の出力信号を生成するように構成された位相検出器と、フィルタ回路と、第２の出力信号を生成するように構成された可変周波数発振器とを含むフェーズロック・ループ回路をさらに含む。位相検出器によって受け取られるフィードバック信号は、第２の出力信号に基づく。フェーズロック・ループ回路は、第１の出力信号に基づくフィルタ回路を横切る信号を生成するように構成された差動チャージ・ポンプ回路をさらに含む。差動チャージ・ポンプ回路は、センシング演算増幅器およびＨブリッジ回路を含む。Ｈブリッジ回路は、第１のノードおよび第２のノードを含む。第１および第２のノードは、センシング演算増幅器への入力である。差動チャージ・ポンプ回路は、第１のノードの電圧が第２のノードの複数の電圧に対する第２のノードの電圧と実質的に等しくなるように、第１のノードの電圧を制御するように構成される。Ｈブリッジ回路は、第１のノードと第２のノードとに結合された第１のトランジスタをさらに含む。第１のトランジスタは、センシング演算増幅器の出力に結合されたゲートを含む。第１のノードの電圧は、センシング演算増幅器および第１のトランジスタによって制御される。
【０００９】
次に、本発明の実施形態が、単に例として、添付の図面を参照して説明される。
【図面の簡単な説明】
【００１０】
【図１】本明細書で説明する１つの実施形態による例示のＰＬＬ回路を示す図である。
【図２】本明細書で説明する１つの実施形態による差動チャージ・ポンプ回路を示す図である。
【図３】本明細書で説明する１つの実施形態によるセンス増幅器回路を示す図である。
【図４】本明細書で説明する１つの実施形態による別の差動チャージ・ポンプ回路を示す図である。
【図５】本明細書で説明する１つの実施形態による図４の差動チャージ・ポンプ回路の様々なノードの例示の電圧レベルを示す図である。
【図６】本明細書で説明する１つの実施形態による図２および図４の差動チャージ・ポンプ回路のトランジスタ間の例示の電流を示す図である。
【発明を実施するための形態】
【００１１】
差動チャージ・ポンプは、ＰＬＬ回路で使用することができる。差動チャージ・ポンプは、ＰＬＬの基準信号とフィードバック信号との間の差に基づいて可変周波数発振器の動作を制御するのを支援するために使用することができる。そのような差動チャージ・ポンプは、チャージ・ポンプ動作の一部として代替経路を横切る電流を駆動するＨブリッジ回路を含むことができる。しかし、特定の状況では、代替経路を横切る電流を駆動するためにＨブリッジ回路を使用すると、代替経路の代替ノード間に電圧不均衡を引き起こすことがある。これは、ＰＬＬ回路の電荷共有およびジッタを増加させることがある。この問題を軽減するために、ノードのうちの１つの電圧を代替ノードの電圧と一致するように制御し、電荷共有およびジッタを減少させ、差動チャージ・ポンプおよびＰＬＬの動作を改善することができる。
【００１２】
図１は、フェーズロック・ループ（ＰＬＬ）回路を示すブロック図である。ＰＬＬ回路１００は、一般に、位相検出器１１０、チャージ・ポンプ１２０、ループ・フィルタ１３０、可変周波数発振器１４０、フォワード分周部１５０、およびフィードバック分周部１６０を含む。位相検出器１１０は、アナログ位相検出器、デジタル位相検出器などのような任意の適切な実施態様を有することができる。位相検出器１１０は、一般に、基準信号１０２とフィードバック信号１６２との間の位相差を表す位相差信号を作り出すように動作する。フィードバック信号１６２は、可変周波数発振器１４０の出力信号に基づく。
【００１３】
位相検出器１１０によって出力される信号は、チャージ・ポンプ１２０との第１の接続（導電性ワイヤまたはトレースなど）によって位相検出器１１０により出力される増加信号（ＩＮＣ）１１２成分と、チャージ・ポンプ１２０との第２の接続によって出力される減少信号（ＤＥＣ）１１４成分とを含む。いくつかの場合には、ＩＮＣ１１２信号およびＤＥＣ１１４信号は、決定された位相差に基づく幅を有するパルスとすることができる。例えば、フィードバック信号１６２が基準信号１０２よりも高い周波数を有する場合、位相検出器１１０は、ＩＮＣ１１２を固定電圧（例えば、接地または他の論理「ロー」電圧）に保持しながら、ＤＥＣ１１４上にパルスを作り出す（例えば、ある期間の間ラインを「ハイ」する）。
【００１４】
ＤＥＣ１１４信号のパルスは、チャージ・ポンプ１２０の動作に影響を与え、その結果として、可変周波数発振器１４０の周波数を低下させ、基準信号１０２の周波数に向かって出力周波数を低下させることになる。位相検出器１１０の他の実施態様では、ＩＮＣ１１２信号およびＤＥＣ１１４信号のパルスは、少なくとも部分的にオーバーラップすることができる。例えば、ＩＮＣ１１２信号のパルスは、ＤＥＣ１１４信号のパルスと同時に存在することがあるが、ＩＮＣ１１２信号のパルスは、可変周波数発振器１４０の出力周波数を低下させるために、短い持続期間を有し、または数を少なくすることができ、あるいはその両方である。
【００１５】
チャージ・ポンプ１２０は、ＩＮＣ１１２信号およびＤＥＣ１１４信号を受け取り、ループ・フィルタ１３０を介して信号を出力し、その信号は、可変周波数発振器１４０の動作を制御することができる。チャージ・ポンプ１２０によって出力される信号は、ＦＩＬＴ成分１２２およびＦＩＬＴＮ成分１２４を含む。いくつかの実施形態では、ＦＩＬＴＮ成分１２４は、ＦＩＬＴ成分１２２の実質的に逆になったコピーを表す。ＦＩＬＴ成分およびＦＩＬＴＮ成分は、代替として、ＯＵＴ成分およびＯＵＴＮ成分と呼ばれることがある。チャージ・ポンプ１２０は、導電性ワイヤまたはトレースなどの任意の適切な構成要素を介してループ・フィルタ１３０に結合することができる。いくつかの実施形態では、チャージ・ポンプ１２０は、連続的なワイヤを介して可変周波数発振器１４０に結合することができ、ループ・フィルタ１３０は、チャージ・ポンプ１２０を可変周波数発振器１４０に接続するワイヤから分岐することができる。
【００１６】
ループ・フィルタ１３０は、制御ループ（ここでは、ＰＬＬ回路１００）のダイナミクスを制御するために選択された任意の数の素子を含むことができる。いくつかの実施形態では、ループ・フィルタ１３０は、容量性素子を含むローパス・フィルタである。いくつかの実施形態では、ループ・フィルタは、比例素子、ハイパス・フィルタ素子などを含むことができる。
【００１７】
可変周波数発振器１４０は、ループ・フィルタ１３０からの受け取った信号に基づいて出力信号を作り出す。可変周波数発振器１４０は、電圧制御発振器（ＶＣＯ）、数値制御発振器（ＮＣＯ）などのような任意の適切な実施態様を有することができる。いくつかの実施形態では、可変周波数発振器１４０からの出力信号は、フォワード分周部１５０およびフィードバック分周部１６０によって処理される。他の実施形態では、フィードバック信号１６２は、可変周波数発振器１４０からの出力信号である。
【００１８】
ＰＬＬ回路１００が図１に示されているが、当業者は、チャージ・ポンプ１２０および関連する回路が様々な他のアナログ制御ループ回路またはデジタル制御ループ回路あるいはその両方に適用可能であることを認識するであろう。チャージ・ポンプ１２０がＰＬＬ回路の一部として使用される場合、ＰＬＬ回路は、集積回路（ＩＣ）デバイスに配置することができる。上で論じたように、ＰＬＬ回路は、マイクロプロセッサ、メモリ・コントローラ、グラフィックス・コントローラ、または任意の他の適切な構成要素のためのクロックとして働くことができる。ＰＬＬ回路は、それがクロックとして働いているデバイスと同じＩＣに配置されてもよく、異なるＩＣに配置されてもよく、または多数のＩＣにわたって分散されてもよい。
【００１９】
図２は、例示的なチャージ・ポンプ回路２００を示す。チャージ・ポンプ２００は、図１に記載されたチャージ・ポンプ１２０の１つの可能な構成を表す。差動チャージ・ポンプ２００のノードＯＵＴおよびＯＵＴＮは、可変周波数発振器の制御電圧として使用することができる。例えば、ＯＵＴは図１の信号ＦＩＬＴ１２２と同等であり得、ＯＵＴＮは図１の信号ＦＩＬＴＮ１２４と同等であり得る。１つの実施形態では、ＯＵＴＮはＯＵＴの逆（ｉｎｖｅｒｓｅ）とすることができる。
【００２０】
差動チャージ・ポンプ２００はＨブリッジ２３０をさらに含み、Ｈブリッジ２３０は、可変周波数発振器の周波数を制御するために、ループ・フィルタ２５０への電流の出入りを切り替えるのに使用されるいくつかのトランジスタを含む。これらのトランジスタは、それぞれ、ｐチャネル金属酸化膜半導体電界効果トランジスタ（ＰＦＥＴ）およびｎチャネル金属酸化膜半導体電界効果トランジスタ（ＮＦＥＴ）として示され説明されるが、任意の適切なタイプのトランジスタまたはスイッチング・デバイスが使用されてもよい。
【００２１】
差動チャージ・ポンプ２００は、ノードＳＥＮＳＥおよびＳＥＮＳＥＮをさらに含むことができ、ＳＥＮＳＥＮは、ＳＥＮＳＥの逆である。回路における電荷共有、したがって、雑音およびジッタを最小にするために、１対のセンス演算増幅器（オペアンプ）ＯＰＳＥＮ２０４およびＯＰＳＥＮＮ２０６を使用して、ＳＥＮＳＥおよびＳＥＮＳＥＮノードをＯＵＴおよびＯＵＴＮノードと同じ電圧に強制することができる。増幅器ＯＰＳＥＮ２０４およびＯＰＳＥＮＮ２０６に関連する例示の回路が、図３に関してより詳細に論じられる。
【００２２】
ＳＥＮＳＥおよびＳＥＮＳＥＮノードにバイアスをかけてＯＵＴおよびＯＵＴＮノードの電圧と一致させると、Ｈブリッジのトランジスタが動作するとき、ＯＵＴおよびＯＵＴＮノードの雑音が減少する。さらなる実施形態では、チャージ・ポンプ２００は、様々な量のチャージ・ポンプ電流を得るために、ＳＥＮＳＥ／ＳＥＮＳＥＮおよびＯＵＴ／ＯＵＴＮノードと並列に多くのＨブリッジ・デバイスを含むことができる。ＯＵＴ／ＯＵＴＮおよびＳＥＮＳＥ／ＳＥＮＳＥＮ電流の合計は、実施態様および他の要因に基づいて変化することがあるが、いくつかの実施形態では、電流は０．４から０．８ｍＡの範囲である。
【００２３】
図２をより詳細に説明すると、回路２１０は４つのトランジスタを含む。これらのトランジスタは、入力信号２１２および２１４を平均化してコモン・モード電圧源ＶＣＭを生成する。図に示されていないが、一実施形態では、入力信号２１２はＯＵＴＮノードに結合することができ、入力信号２１４はＯＵＴノードに結合することができる。さらに、回路２１０のＮＦＥＴトランジスタは電圧源に結合することができ、ＰＦＥＴトランジスタは接地に結合することができる。コモン・モード電圧源ＶＣＭは増幅器ＯＰＣＭ２０２の入力に結合される。増幅器ＯＰＣＭ２０２の出力は、トランジスタＴ１１およびＴ１２のゲートに印加される。電圧源ＶＲ２２２およびＶＲ２２４は、それぞれ、トランジスタＴ１１およびＴ１２に結合される。図面および明細書にＶＲとラベル付けされた要素は、電圧源であり、時にはＶＤＤと略記される。図および明細書にＧＡとラベル付けされた要素は、接地であり、時にはＧＮＤと略記される。Ｈブリッジ２３０は、例えば、図１に関して論じられた位相検出器１１０からのフィードバックに基づいて電流を導くように動作する。
【００２４】
図２の右側から開始して、トランジスタＴ１１は、トランジスタＴ９およびＴ８に結合される。トランジスタＴ９は、ＳＥＮＳＥノードに結合される。トランジスタＴ８は、ＯＵＴノードに結合される。トランジスタＴ１０およびＴ７は、トランジスタＴ４に結合される。ＩＮＣ信号は、トランジスタＴ９のゲートに印加される。ＩＮＣＮ信号は、トランジスタＴ８のゲートに印加される。ＤＥＣ信号は、トランジスタＴ７のゲートに印加される。ＤＥＣＮ信号は、トランジスタＴ１０のゲートに印加される。ＩＮＣおよびＤＥＣ信号は、例えば、図１を参照して論じた信号とすることができる。一実施形態では、ＩＮＣＮ信号はＩＮＣ信号の逆とすることができ、ＤＥＣＮ信号はＤＥＣ信号の逆とすることができる。図に示されていないが、ＩＮＣ信号からＩＮＣＮ信号を作り出し、ＤＥＣ信号からＤＥＣＮ信号を作り出すために、インバータを含めることができる。
【００２５】
回路が動作しているとき、電流は、ノード２６０からノード２６２に、およびノード２６４からノード２６６に流れる。Ｈブリッジ２３０を通る経路は、ＩＮＣおよびＤＥＣ信号に基づいて選択される。例えば、図１に示されたＰＬＬ回路１００のようなＰＬＬ回路において、基準信号１０２がフィードバック信号１６２と一致していると仮定する。これは、可変周波数発振器１４０の周波数を変わらないままにすることができることを意味する。位相検出器１１０はループ・フィルタ１３０の両端の電圧を変更する必要がないので、ＩＮＣ１１２信号およびＤＥＣ１１４信号を論理ロー（「０」）に保持することができ、一方、逆のＩＮＣＮおよびＤＥＣＮはハイ（「１」）になることになる。
【００２６】
図２に示された回路において、ＰＦＥＴトランジスタＴ９は導通することになり（ＰＦＥＴトランジスタＴ９のゲートのＩＮＣの値がローであるので）、一方、ＰＦＥＴトランジスタＴ８は導通しないことになる（ＰＦＥＴトランジスタＴ８のゲートのＩＮＣＮの値がハイであるので）。同様に、ＮＦＥＴトランジスタＴ１０は導通することになり（ＤＥＣＮの値がハイであるので）、一方、ＮＦＥＴトランジスタＴ７は導通しないことになる（ＤＥＣの値がローであるので）。このシナリオでは、Ｈブリッジ２３０の左側に沿ったトランジスタＴ２およびＴ１は、同様に、導通することになり、一方、トランジスタＴ３およびＴ５は導通しないことになる。
【００２７】
ＰＬＬへの基準信号（例えば、基準信号１０２）がフィードバック信号（例えば、フィードバック信号１６２）と異なる場合、ＰＬＬは、信号を一致させるためにループ・フィルタ１３０の両端の電圧を変更することになる。例えば、図１のフィードバック信号１６２の周波数が基準信号１０２の周波数よりも小さいと仮定する。ＰＬＬ回路は、可変周波数発振器１４０の周波数を増加させて補正する。このシナリオでは、位相検出器１１０は、論理ハイＩＮＣ信号をチャージ・ポンプ１２０に送り、論理ローＤＥＣ信号を送る。
【００２８】
図２に戻ると、これは、ＩＮＣがハイであり、ＩＮＣＮがローであり、ＤＥＣがローであり、ＤＥＣＮがハイであることを意味する。したがって、ＰＦＥＴトランジスタＴ８は導通し（ＩＮＣＮがローであるので）、一方、ＮＦＥＴトランジスタＴ７は導通しない（ＤＥＣもローであるので）。これは、ＯＵＴノードの電圧を増加させる。Ｈブリッジの左側では、ＰＦＥＴトランジスタＴ３は導通せず（ＤＥＣＮがハイであるので）、一方、ＮＦＥＴトランジスタＴ５は導通する（ＩＮＣもハイである）。これは、ＯＵＴＮノードの電圧を低下させる。ＯＵＴとＯＵＴＮとの間の電圧差のこの変化は、ループ・フィルタ２５０を介して可変周波数発振器の周波数を変化させる。
【００２９】
しかしながら、Ｈブリッジによるこの切替えは、ＳＥＮＳＥノードとＯＵＴノードとの間の電圧差およびＳＥＮＳＥＮノードとＯＵＴＮノードとの間の電圧差を引き起こすことがあり、それは、ノード間の望ましくない電荷共有と回路のジッタをもたらすことがある。これを緩和するために、ＳＥＮＳＥノードの電圧レベルには、ＯＵＴノードの電圧レベルと一致するようにバイアスをかけることができ、ＳＥＮＳＥＮノードの電圧レベルには、ＯＵＴＮノードの電圧レベルと一致するようにバイアスをかけることができる。これを達成する１つの方法は、センス増幅器ＯＰＳＥＮ２０４およびＯＰＳＥＮＮ２０６の使用によるものである。センス増幅器ＯＰＳＥＮ２０４およびＯＰＳＥＮＮ２０６は、電圧がＯＵＴおよびＯＵＴＮノードに追随するようにＳＥＮＳＥおよびＳＥＮＳＥＮのノードにバイアスをかける。これは、Ｈブリッジの経路を切り替えるときの電圧差を緩和し、電荷共有およびジッタを軽減する。
【００３０】
ＯＵＴノードはループ・フィルタ２５０に結合される。ループ・フィルタ２５０は、２つのキャパシタ２５４および２５６と、抵抗器２５２とを含む。図２の左側に移ると、構成は上で論じた右側と同様である。トランジスタＴ１２は、トランジスタＴ２およびＴ３に結合される。トランジスタＴ２は、ＳＥＮＳＥＮノードに結合される。トランジスタＴ３は、ＯＵＴＮノードに結合される。トランジスタＴ１およびＴ５は、トランジスタＴ６に結合される。ＩＮＣ信号は、トランジスタＴ５のゲートに印加される。ＩＮＣＮ信号は、トランジスタＴ１のゲートに印加される。ＤＥＣ信号は、トランジスタＴ２のゲートに印加される。ＤＥＣＮ信号は、トランジスタのゲートに印加される。ＩＮＣおよびＤＥＣ信号は、例えば、図１を参照して論じた信号とすることができる。一実施形態では、ＩＮＣＮ信号はＩＮＣ信号の逆とすることができ、ＤＥＣＮ信号はＤＥＣ信号の逆とすることができる。
【００３１】
上で論じたように、Ｈブリッジ回路は、ＩＮＣ、ＩＮＣＮ、ＤＥＣ、およびＤＥＣＮの値に応じて、トランジスタＴ１、Ｔ２、Ｔ３、およびＴ５を介して経路を切り替えるように動作することができる。センス増幅器ＯＰＳＥＮＮ２０６は、電圧がＯＵＴＮノードの電圧と一致するようにＳＥＮＳＥＮノードにバイアスをかけるために使用することができる。図２の下部の方に移ると、基準電流２７０および電圧源ＶＲ２２６は、トランジスタＴ１４、Ｔ６、およびＴ４のゲートに適用される。基準電流２７０は電源として働くことができる。トランジスタＴ１４およびＴ４は、接地ＧＡ２８０に結合される。
【００３２】
図３は、図２で説明した実施形態と一致するセンス増幅器回路３００を示す。図２に関して論じたように、図３に示した回路を使用して、差動チャージ・ポンプ２００のＳＥＮＳＥおよびＳＥＮＳＥＮノードにバイアスをかけ、それによって、ＯＵＴおよびＯＵＴＮノードの電圧と一致させることができる。これにより、電荷共有および雑音が減少する。増幅器回路３００は、任意の適切な演算増幅器とすることができるオペアンプ３０２を含む。例えば、オペアンプ３０２は、広い入力コモン・モード範囲のオペアンプとすることができる。
【００３３】
増幅器回路３００は、電圧源ＶＲ３１０と、トランジスタ３２２および３２４と、接地３６２と、抵抗器３１２と、キャパシタ３１４と、別の接地３６４とをさらに含む。トランジスタ３２２および３２４は、図２の差動チャージ・ポンプ２００のトランジスタを表すことができる。１つの例として、トランジスタ３２２は、差動チャージ・ポンプ２００のトランジスタＴ２とすることができ、トランジスタ３２４はトランジスタＴ１とすることができる。代替として、トランジスタ３２２はトランジスタＴ９とすることができ、トランジスタ３２４はトランジスタＴ４とすることができる。これらは単に例であり、他のトランジスタ構成も可能である。
【００３４】
差動チャージ・ポンプ２００および増幅器回路３００は、雑音およびジッタを減少させるために十分に機能的に働くが、設計にはいくつかの欠点がある。ＯＵＴ／ＯＵＴＮノードの電圧は０から電圧源まで（例えば、０から１．２Ｖまで）及ぶことがあるので、トランジスタ３２２および３２４は、ＳＥＮＳＥおよびＳＥＮＳＥＮノードにバイアスをかけてＯＵＴおよびＯＵＴＮノードの電圧と一致させるために比較的大きい。しかし、特定の状況において、例えば、ＯＵＴおよびＯＵＴＮノードの電圧が電圧源の約１／２（例えば、０．６Ｖ）である場合、比較的高い電流が、電圧源ＶＲ３１０と接地ＧＡ３６２との間に流れる。このバイアス電流はシュート・スルー電流と呼ばれることがあり、トランジスタ３２２とトランジスタ３２４との間で流れ得る。回路はこの電流を消費し、それは、自己加熱およびエレクトロマイグレーションの問題を引き起こし、自己加熱およびエレクトロマイグレーション要件を満たすことを困難にする。さらに、トランジスタ３２２および３２４の比較的大きいサイズは、回路の利得を増加させ、安定したフィードバック・ループを創り出すのをより困難にする。
【００３５】
図４は、さらなる差動チャージ・ポンプ回路４００を示す。差動チャージ・ポンプ４００の設計は、図２に示された回路２００の機能的な利点を維持しながら、上で論じた欠点のうちのいくつかを減らす。チャージ・ポンプ基準電流４７０は、トランジスタＴ１２を用いてＨブリッジ４２０の電流の１／４を駆動する。コモン・モード制御オペアンプＯＰＣＭ４０２は、トランジスタＴ１１を用いてＨブリッジ４２０の電流の追加の１／４を駆動する。次いで、センス増幅器ＯＰＳＥＮ４０４およびＯＰＳＥＮＮ４０６は、Ｈブリッジ４２０の残りの部分を駆動する。
【００３６】
差動チャージ・ポンプ４００では、増幅器ＯＰＳＥＮ４０４およびＯＰＳＥＮＮ４０６は、ＯＵＴおよびＯＵＴＮノードの電圧を一致させるためにＳＥＮＳＥおよびＳＥＮＳＥＮノードに直接バイアスをかける必要がない。代わりに、ＳＥＮＳＥＮノードの電圧は、トランジスタＴ６のゲートを駆動する増幅器ＯＰＳＥＮＮ４０６を介してＯＵＴＮノードの電圧と一致するように制御される。上で論じたように、チャージ・ポンプ基準電流４７０は、Ｈブリッジ４２０の左側に接続される。ＰＬＬが動作するとき、トランジスタＴ１２とトランジスタＴ６の両方の電流は、チャージ・ポンプ基準電流４７０に近づく。増幅器ＯＰＳＥＮＮ４０６は、基準電流を使用して、トランジスタＴ６のゲートを駆動することによってＳＥＮＳＥＮの電圧を制御する。これにより、ＳＥＮＳＥＮノードはＯＵＴＮノードと一致するように強制される。ＳＥＮＳＥノードをＯＵＴノードと強制的に一致させるために、増幅器ＯＰＳＥＮ４０４はトランジスタＴ４のゲートを駆動する。これは、Ｈブリッジ４２０の右側を駆動する増幅器ＯＰＣＭ４０２からの電流を使用して、ＳＥＮＳＥおよびＯＵＴノードの電圧を一致させる。
【００３７】
状況によっては、ＯＰＣＭ４０２からの電流がチャージ・ポンプ基準電流４７０と一致しないことがあり、そこで、Ｈブリッジの左側の電流が、Ｈブリッジの右側の電流と一致しないことがある。しかし、ＰＬＬ回路の動作により、ＯＰＣＭ４０２は、チャージ・ポンプ基準からの電流４７０と一致するように強制される。Ｈブリッジの右側の電流が、Ｈブリッジの左側の電流と一致しない場合、ＯＵＴの電圧がＯＵＴＮの電圧と一致しないので、ＰＬＬはロックを達成できないことがある。ＰＬＬ回路が動作するとき、コモン・モード制御増幅器ＯＰＣＭ４０２をシフトさせて、Ｈブリッジの右側で左側と同じ電流を駆動し、その結果、ＯＵＴおよびＯＵＴＮの電圧が一致し、ＰＬＬはロックを達成することができる。
【００３８】
この実施形態では、増幅器ＯＰＳＥＮ４０４およびＯＰＳＥＮＮ４０６は、ＳＥＮＳＥおよびＳＥＮＳＥＮノードに直接バイアスをかけないが、その代り、トランジスタＴ４およびＴ６のゲートのみを駆動する。その結果、増幅器ＯＰＳＥＮ４０４およびＯＰＳＥＮＮ４０６の出力は、差動チャージ・ポンプ２００の設計におけるよりも低くすることができる。さらに、トランジスタＴ２、Ｔ１、Ｔ９、およびＴ１０は、差動チャージ・ポンプ２００の設計におけるよりも小さくすることができ、トランジスタ間の過電流が大幅に減少する。これは、図３に関して上で論じたように、機能的な利点を維持しながら、差動チャージ・ポンプ２００の設計における自己加熱およびエレクトロマイグレーションの問題を低減する。
【００３９】
図４の詳細を参照すると、図２に示された差動チャージ・ポンプ２００と同様に、差動チャージ・ポンプ４００は、４つのトランジスタをもつ回路４１０を含む。これらのトランジスタは、入力信号４１２および４１４を平均化してコモン・モード電圧源ＶＣＭを生成する。一実施形態では、入力信号４１２はＯＵＴＮノードに結合することができ、入力信号４１４はＯＵＴノードに結合することができる。さらに、回路４１０のＮＦＥＴトランジスタは電圧源に結合することができ、ＰＦＥＴトランジスタは接地に結合することができる。コモン・モード電圧源ＶＣＭは増幅器ＯＰＣＭ４０２の入力に結合される。しかし、差動チャージ・ポンプ２００と異なり、差動チャージ・ポンプ４００では、電圧源ＶＲ４２２は、トランジスタＴ１２を介してＨブリッジ４２０の左側にのみ結合される。Ｈブリッジ４２０の右側では、増幅器ＯＰＣＭ４０２の出力は、トランジスタＴ１１のゲートに印加される。この構成では、基準電流４７０は、Ｈブリッジ４２０の電流の１／４を駆動し、一方、増幅器ＯＰＣＭ４０２は、Ｈブリッジ４２０の電流の別の１／４を駆動する。
【００４０】
図４を下方へ移ると、差動チャージ・ポンプ４００では、トランジスタＴ１１は、トランジスタＴ９およびＴ８に結合される。トランジスタＴ９は、ＳＥＮＳＥノードに結合される。トランジスタＴ８は、ＯＵＴノードに結合される。トランジスタＴ１０およびＴ７は、トランジスタＴ４に結合される。ＩＮＣ信号は、トランジスタＴ９のゲートに印加される。ＩＮＣＮ信号は、トランジスタＴ８のゲートに印加される。ＤＥＣ信号は、トランジスタＴ７のゲートに印加される。ＤＥＣＮ信号は、トランジスタＴ１０のゲートに印加される。ＩＮＣおよびＤＥＣ信号は、例えば、図１を参照して論じた信号とすることができる。一実施形態では、ＩＮＣＮ信号はＩＮＣ信号の逆とすることができ、ＤＥＣＮ信号はＤＥＣ信号の逆とすることができる。
【００４１】
１つの実施形態では、Ｈブリッジは、差動チャージ・ポンプ２００に関して図２に示されたＨブリッジと同じように、ＩＮＣ、ＩＮＣＮ、ＤＥＣ、およびＤＥＣＮ信号に基づいて、代替経路間で電流を切り替え、可変周波数発振器を制御するように動作する。チャージ・ポンプ４００におけるＨポンプの切替え動作はチャージ・ポンプ２００中の切替え動作と同じであるので、詳細は繰り返されない。
【００４２】
ＯＵＴノードは、センス増幅器ＯＰＳＥＮ４０４の入力に結合される。ＳＥＮＳＥノードは、増幅器ＯＰＳＥＮ４０４の別の入力に結合される。しかし、差動チャージ・ポンプ４００では、増幅器ＯＰＳＥＮ４０４の出力はＳＥＮＳＥノードにフィードバックしない。代わりに、増幅器ＯＰＳＥＮ４０４の出力は、トランジスタＴ４のゲートに印加される。増幅器ＯＰＳＥＮ４０４は、ＯＵＴノードの電圧と一致させるためにＳＥＮＳＥノードに直接バイアスをかける必要がなく、そこで、増幅器ＯＰＳＥＮ４０４の出力は、ＳＥＮＳＥノードに結合される必要がない。これにより、トランジスタ、例えば、トランジスタＴ９およびＴ１０は、差動チャージ・ポンプ４００では差動チャージ・ポンプ２００におけるよりも小さくすることができ、それにより、インピーダンスが低下し、過電流流れが減少する。増幅器ＯＰＳＥＮ４０４は、トランジスタＴ４のゲートを駆動することを介してＳＥＮＳＥノードの電圧を制御する。
【００４３】
差動チャージ・ポンプ２００と同様に、差動チャージ・ポンプ４００のＯＵＴノードは、ループ・フィルタ４５０に結合される。ループ・フィルタ４５０は、２つのキャパシタ４５４および４５６と、抵抗器４５２とを含む。図４の左側に移ると、トランジスタＴ１２は、トランジスタＴ２およびＴ３に結合される。トランジスタＴ２は、ＳＥＮＳＥＮノードに結合される。トランジスタＴ３は、ＯＵＴＮノードに結合される。トランジスタＴ１およびＴ５は、トランジスタＴ６に結合される。ＩＮＣ信号は、トランジスタＴ５のゲートに印加される。ＩＮＣＮ信号は、トランジスタＴ１のゲートに印加される。ＤＥＣ信号は、トランジスタＴ２のゲートに印加される。ＤＥＣＮ信号は、トランジスタＴ３のゲートに印加される。ＩＮＣおよびＤＥＣ信号は、例えば、図１を参照して論じた信号とすることができる。１つの実施形態では、ＩＮＣＮ信号はＩＮＣ信号の逆とすることができ、ＤＥＣＮ信号はＤＥＣ信号の逆とすることができる。
【００４４】
Ｈブリッジの右側と同様に、左側のＯＵＴＮノードは、増幅器ＯＰＳＥＮＮ４０６の入力に結合される。ＳＥＮＳＥＮノードは、増幅器ＯＰＳＥＮＮ４０６の別の入力に結合される。増幅器ＯＰＳＥＮＮ４０６の出力は、ＳＥＮＳＥＮノードにフィードバックしない。代わりに、増幅器ＯＰＳＥＮＮ４０６の出力は、トランジスタＴ６のゲートに印加される。増幅器ＯＰＳＥＮＮ４０６は、ＯＵＴＮノードの電圧と一致させるためにＳＥＮＳＥＮノードにバイアスをかける必要がなく、そこで、増幅器ＯＰＳＥＮＮ４０６の出力は、ＳＥＮＳＥＮノードに結合される必要がない。これにより、トランジスタ、例えば、トランジスタＴ２およびＴ１は、差動チャージ・ポンプ２００におけるよりも差動チャージ・ポンプ４００では小さくなることができ、それにより、インピーダンスが低下し、過電流流れが減少する。増幅器ＯＰＳＥＮＮ４０６は、トランジスタＴ６のゲートを駆動することを介してＳＥＮＳＥノードの電圧を制御する。
【００４５】
図５は、図４の差動チャージ・ポンプ４００のＳＥＮＳＥ、ＳＥＮＳＥＮ、ＯＵＴ、およびＯＵＴＮノードの電圧を示すチャートである。上で論じたように、差動チャージ・ポンプ４００は、増幅器ＯＰＳＥＮ４０４およびＯＰＳＥＮＮ４０６を使用してＳＥＮＳＥおよびＳＥＮＳＥＮノードの電圧に直接バイアスをかけることなしに、電圧に関して、ＳＥＮＳＥノードをＯＵＴノードと、およびＳＥＮＳＥＮノードをＯＵＴＮノードと一致させることができる。この結果を図５で見ることができ、図５は、ＯＵＴおよびＯＵＴＮノードの様々な異なる電圧に対して、ＳＥＮＳＥノードの電圧がＯＵＴノードの電圧とほぼ一致していること、およびＳＥＮＳＥＮノードの電圧がＯＵＴＮノードの電圧とほぼ一致していることを示している。
【００４６】
図６は、ＯＵＴおよびＯＵＴＮノードの様々な電圧レベルに対して、図２に示された差動チャージ・ポンプ２００および図４に示された差動チャージ・ポンプ４００の比較対象となる対のトランジスタを横切る電流流れを示すチャートである。例えば、図６の例示は、トランジスタＴ１とトランジスタＴ２との間、またはトランジスタＴ１０とトランジスタＴ９との間の電流流れに適用することができる。
【００４７】
図６は、電流流れが劇的に減少することを示している。例えば、ＯＵＴおよびＯＵＴＮノードの両端の電圧が各々５００ｍＶであるとき、差動チャージ・ポンプ２００のトランジスタ間の電流流れは２ｍＡを超えるが、差動チャージ・ポンプ４００の比較対象となる対のトランジスタ間の電流流れは０．０１ｍＡよりも少ない。別の例として、ＯＵＴ電圧が７５０ｍＶであり、ＯＵＴＮ電圧が２５０ｍＶであるとき、差動チャージ・ポンプ２００のトランジスタ間の電流流れは約２ｍＡであるが、差動チャージ・ポンプ４００の比較対象となる対のトランジスタ間の電流流れは約０．００５ｍＡである。
【００４８】
本発明の様々な実施形態の説明が例示の目的で提示されたが、網羅的であること、または開示された実施形態に限定されることを意図するものではない。説明された実施形態の範囲から逸脱することなく、多くの変更および変形が当業者には明らかであろう。本明細書で使用された用語は、実施形態の原理、実際の応用、市場で見られる技術に対する技術的改善を最も良く説明するように、または当業者が本明細書で開示された実施形態を理解できるように選ばれた。
【００４９】
前出では、本開示で提示された実施形態が参照されている。しかしながら、本開示の範囲は、特定の説明された実施形態に限定されない。代わりに、特徴および要素の任意の組合せは、異なる実施形態に関連するか否かにかかわらず、意図する実施形態を実施および実践するように意図されている。さらに、本明細書で開示された実施形態は、他の可能な解決策または先行技術を超える利点を達成することができるが、特定の利点が所与の実施形態によって達成されるか否かは、本開示の範囲を限定するものではない。したがって、前出の態様、特徴、実施形態、および利点は、単に例示であり、請求項に明確に記載される場合を除いて、添付の特許請求の範囲の要素または限定と見なされない。同様に、「本発明」への言及は、本明細書で開示された任意の発明の主題の一般化として解釈されるべきでなく、請求項に明確に記載される場合を除いて、添付の特許請求の範囲の要素または限定と見なされるべきでない。
【００５０】
図の流れ図のブロック図は、本発明の様々な実施形態によるシステムおよび装置の可能な実施態様の構成、機能、および動作を示す。いくつかの代替の実施態様では、ブロックに示された機能は、図に示された順序から外れて行われてもよい。例えば、連続して示された２つのブロックは、実際には、実質的に同時に実行されてもよく、またはブロックは、時には、必要とされる機能に応じて逆順で実行されてもよい。
【００５１】
前出は本発明の実施形態に関するが、本発明の他のおよびさらなる実施形態が、本発明の基本的範囲から逸脱することなく考案され得、その範囲は、以下の特許請求の範囲によって決定される。
【図１】
2021504998.tif 000003
【図２】
2021504998.tif 000004
【図３】
2021504998.tif 000005
【図４】
2021504998.tif 000006
【図５】
2021504998.tif 000007
【図６】
2021504998.tif 000008
【国際調査報告】
2021504998.tif 000009
2021504998.tif 000010